(57)【特許請求の範囲】
【請求項１】
固定本体１の円筒状空洞部２の底側にステーター３を配置し、前記ステーター３の中心部に軸受孔４を軸方向に形成し、前記ステーター３の前面より複数個のボトムピン孔５を同一円周上に配置して軸方向に形成し、前記円筒状空洞部２にローター６を回転可能に収容し、前記ローター６の後方部の施錠軸部７を前記軸受孔４に嵌挿し、前記ローター６の中間部のマガジン部８に複数個のタンブラーピン孔９を軸方向に形成し、相連通する前記タンブラーピン孔９と前記ボトムピン孔５に、キーコードに対応して長さを個別設定されたタンブラーピン１０とバネ１２で前進付勢されたボトムピン１１を収容し、前記固定本体１の内向き段差部１３の背面に前記タンブラーピン１０の前端を当接させ、前記内向き段差部１３の内周面と前記ローター６の前端部１４の外周面との間に環状キー孔１５を形成し、前記内向き段差部１３の内周面に前記環状キー孔１５に開口する位置決め溝１６を軸方向に形成し、前記ロータ６の前端部１４の外周面に受動溝１７を軸方向に形成し、キー１８の筒状部１９の先端部外周面に、前記位置決め溝１６に嵌められる位置決め突起２０と前記タンブラーピン１４の前端を押す操作段部２１を形成し、前記筒状部１９の先端部内周面に前記受動溝１７に嵌められる駆動突起２２を設け、前記各操作段部２１に個別設定された深さに対応して、全ての前記タンブラーピン１０と前記ボトムピン１１の当接点を前記ステーター３と前記マガジン部８とのシャーライン上に移動させるようにした軸方向ピンタンブラー錠において、
前記固定本体１に前記ローター６の前端部１４の前方向に超えた延長部１ａを形成し、前記キー１８の筒状部１９に固定本体１の前記延長部１ａに対応して延伸部１９ａを形成し、前記延長部１ａの円筒状空洞部２ａに防御マガジン２３を回転可能に配置し、前記防御マガジン２３の中心部に円形状のキー挿通孔２４を軸方向に形成し、前記タンブラーピン１０の前端が当接する前記内向き段差部１３を前記防御マガジン２３の基端部分に形成し、前記位置決め溝１６を前記防御マガジン２３の内周面に形成し、前記延長部１ａに複数個の駆動ピン孔２５を半径方向に形成し、前記防御マガジン２３に前記駆動ピン孔２５に対応させて防御ピン孔２６を半径方向に形成し、前記駆動ピン孔２５と前記防御ピン孔２６に、キーコードに対応して長さを個別設定された防御ピン２７とバネ２９で求心方向に付勢された駆動ピン２８を収容し、前記複数本のタンブラーピン１０を前記複数本の防御ピン２７の真後ろの位置に配置し、キー１８の前記延伸部１９ａの外周面に前記防御ピン孔２６に対面させて環状凹部３０を形成し、前記キー１８の最終挿入位置において前記位置決め突起２０を前記位置決め溝１６より突出させる一方、前記駆動突起２２を前記受動溝１８に係合させ、前記環状凹部３０に個別設定された深さに対応して、全ての前記防御ピン２７と前記駆動ピン２８の当接点を前記防御マガジン２３と固定本体１の前記延長部１ａとのシャーライン上に移動させるようにしたことを特徴とする防御機構付き軸方向ピンタンブラー錠。
【請求項２】
固定本体１の円筒状空洞部２の底側にステーター３を配置し、前記ステーター３の中心部に軸受孔４を軸方向に形成し、前記ステーター３の前面より複数個のボトムピン孔５を同一円周上に配置して軸方向に形成し、前記円筒状空洞部２にローター６を回転可能に収容し、前記ローター６の後方部の施錠軸部７を前記軸受孔４に嵌挿し、前記ローター６の中間部のマガジン部８に複数個のタンブラーピン孔９を軸方向に形成し、相連通する前記タンブラーピン孔９と前記ボトムピン孔５に、キーコードに対応して長さを個別設定されたタンブラーピン１０とバネ１２で前進付勢されたボトムピン１１を収容し、前記固定本体１の内向き段差部１３の背面に前記タンブラーピン１０の前端を当接させ、前記内向き段差部１３の内周面と前記ローター６の前端部１４の外周面との間に環状キー孔１５を形成し、前記内向き段差部１３の内周面に前記環状キー孔１５に開口する位置決め溝１６を軸方向に形成し、前記ロータ６の前端部１４の外周面に受動溝１７を軸方向に形成し、キー１８の筒状部１９の先端部外周面に、前記位置決め溝１６に嵌められる位置決め突起２０と前記タンブラーピン１４の前端を押す操作段部２１を形成し、前記筒状部１９の先端部内周面に前記受動溝１７に嵌められる駆動突起２２を設け、前記各操作段部２１に個別設定された深さに対応して、全ての前記タンブラーピン１０と前記ボトムピン１１の当接点を前記ステーター３と前記マガジン部８とのシャーライン上に移動させるようにした軸方向ピンタンブラー錠において、
前記固定本体１に前記ローター６の前端部１４の前方向に超えた延長部１ａを形成し、前記キー１８の筒状部１９に固定本体１の前記延長部１ａに対応して延伸部１９ａを形成し、前記延長部１ａの円筒状空洞部２ａに防御マガジン２３を回転可能に配置し、前記防御マガジン２３の中心部に円形状のキー挿通孔２４を軸方向に形成し、前記タンブラーピン１０の前端が当接する前記内向き段差部１３を前記防御マガジン２３の基端部分に形成し、前記位置決め溝１６を前記防御マガジン２３の内周面に形成し、前記延長部１ａに複数個の駆動ピン孔２５を半径方向に形成し、前記防御マガジン２３に前記駆動ピン孔２５に対応させて防御ピン孔２６を半径方向に形成し、前記駆動ピン孔２５と前記防御ピン孔２６に、キーコードに対応して長さを個別設定された防御ピン２７とバネ２９で求心方向に付勢された駆動ピン２８を収容し、前記複数本のタンブラーピン１０を前記複数本の防御ピン２７の真後ろの位置に配置し、キー１８の前記延伸部１９ａの外周面に前記防御ピン孔２６に対面させて環状凹部３０を形成し、前記キー１８の最終挿入位置において、前記位置決め突起２０を前記位置決め溝１６に係合させる一方、前記駆動突起２２を前記受動溝１８に係合させ、前記環状凹部３０に個別設定された深さに対応して、全ての前記防御ピン２７と前記駆動ピン２８の当接点を前記防御マガジン２３と固定本体１の前記延長部１ａとのシャーライン上に移動させるようにしたことを特徴とする防御機構付き軸方向ピンタンブラー錠。
【発明の詳細な説明】
【技術分野】
【０００１】
本発明は、固定本体側のボトムピンとローター側のタンブラピンが軸方向に配置され、キーの筒状部外周面に操作段部が軸方向に形成された軸方向ピンタンブラー錠に関する。
【背景技術】
【０００２】
固定本体の円筒状空洞部の底側にステーターを配置し、ステーターの中心部に軸受孔を軸方向に形成し、ステーターの前面より複数個のボトムピン孔を同一円周上に配置して軸方向に形成し、円筒状空洞部に回転可能にローターを収容したローターの後方部の施錠軸部を前記軸受孔に嵌挿し、ローターのマガジン部に複数個のタンブラーピン孔を軸方向に形成し、相連通する前記タンブラーピン孔とボトムピン孔に、キーコードに対応して長さを個別設定されたタンブラーピンとバネで前進付勢されたボトムピンを収容し、固定本体１の内向き段差部の背面にタンブラーピンの前端を当接させ、内向き段差部の内周面とローターの前端部外周面との間に環状キー孔を形成し、前記内向き段差部の内周面に前記環状キー孔に開口する位置決め溝を軸方向に形成し、ローターの前端部外周面に受動溝を軸方向に形成し、キーの筒状部の先端部外周面に、前記位置決め溝に嵌められる位置決め突起と前記タンブラーピンの前端を押す操作段部を形成し、前記筒状部の先端部内周面に前記受動溝に嵌められる駆動突起を設け、前記各操作段部に個別設定された深さに対応して、全てのタンブラーピンとボトムピンの当接点を、ステーターとマガジン部とのシャーライン上に移動させるようにした軸方向ピンタンブラー錠は既に知られている（特許文献１及び特許文献２参照）。
【０００３】
このような軸方向ピンタンブラー錠は、タンブラーピンの前端の約半分が環状キー孔に露出しているため、キーの筒状部を模した円筒体の外周面に、タンブラーピンの本数と同数のスライド部材を装備してあるピッキング用具が不正に作製されており、ローターに回転テンションをかけながら各スライド部材を軸方向に進退させることによって、解錠状態を作り出すことが行なわれている。
【０００４】
【特許文献１】実公昭５６−３８１２３号公報
【特許文献２】実公平７−２１７７４号公報
【発明の開示】
【発明が解決しようとする課題】
【０００５】
本発明の課題は、ピッキング操作が非常に困難である防御機構付きピンタンブラー錠を提供する。
【課題を解決するための手段】
【０００６】
請求項１に係る発明の主たる特徴は、固定本体１の円筒状空洞部２の底側にステーター３を配置し、前記ステーター３の中心部に軸受孔４を軸方向に形成し、前記ステーター３の前面より複数個のボトムピン孔５を同一円周上に配置して軸方向に形成し、前記円筒状空洞部２にローター６を回転可能に収容し、前記ローター６の後方部の施錠軸部７を前記軸受孔４に嵌挿し、前記ローター６の中間部のマガジン部８に複数個のタンブラーピン孔９を軸方向に形成し、相連通する前記タンブラーピン孔９と前記ボトムピン孔５に、キーコードに対応して長さを個別設定されたタンブラーピン１０とバネ１２で前進付勢されたボトムピン１１を収容し、前記固定本体１の内向き段差部１３の背面に前記タンブラーピン１０の前端を当接させ、前記内向き段差部１３の内周面と前記ローター６の前端部１４の外周面との間に環状キー孔１５を形成し、前記内向き段差部１３の内周面に前記環状キー孔１５に開口する位置決め溝１６を軸方向に形成し、前記ロータ６の前端部１４の外周面に受動溝１７を軸方向に形成し、キー１８の筒状部１９の先端部外周面に、前記位置決め溝１６に嵌められる位置決め突起２０と前記タンブラーピン１４の前端を押す操作段部２１を形成し、前記筒状部１９の先端部内周面に前記受動溝１７に嵌められる駆動突起２２を設け、前記各操作段部２１に個別設定された深さに対応して、全ての前記タンブラーピン１０と前記ボトムピン１１の当接点を前記ステーター３と前記マガジン部８とのシャーライン上に移動させるようにした軸方向ピンタンブラー錠において、
前記固定本体１に前記ローター６の前端部１４の前方向に超えた延長部１ａを形成し、前記キー１８の筒状部１９に固定本体１の前記延長部１ａに対応して延伸部１９ａを形成し、前記延長部１ａの円筒状空洞部２ａに防御マガジン２３を回転可能に配置し、前記防御マガジン２３の中心部に円形状のキー挿通孔２４を軸方向に形成し、前記タンブラーピン１０の前端が当接する前記内向き段差部１３を前記防御マガジン２３の基端部分に形成し、前記位置決め溝１６を前記防御マガジン２３の内周面に形成し、前記延長部１ａに複数個の駆動ピン孔２５を半径方向に形成し、前記防御マガジン２３に前記駆動ピン孔２５に対応させて防御ピン孔２６を半径方向に形成し、前記駆動ピン孔２５と前記防御ピン孔２６に、キーコードに対応して長さを個別設定された防御ピン２７とバネ２９で求心方向に付勢された駆動ピン２８を収容し、前記複数本のタンブラーピン１０を前記複数本の防御ピン２７の真後ろの位置に配置し、キー１８の前記延伸部１９ａの外周面に前記防御ピン孔２６に対面させて環状凹部３０を形成し、前記キー１８の最終挿入位置において前記位置決め突起２０を前記位置決め溝１６の末端部より突出させる一方、前記駆動突起２２を前記受動溝１８に係合させ、前記環状凹部３０に個別設定された深さに対応して、全ての前記防御ピン２７と前記駆動ピン２８の当接点を前記防御マガジン２３と固定本体１の前記延長部１ａとのシャーライン上に移動させるようにしたことである。
【０００７】
請求項２に係る発明の主たる特徴は、固定本体１の円筒状空洞部２の底側にステーター３を配置し、前記ステーター３の中心部に軸受孔４を軸方向に形成し、前記ステーター３の前面より複数個のボトムピン孔５を同一円周上に配置して軸方向に形成し、前記円筒状空洞部２にローター６を回転可能に収容し、前記ローター６の後方部の施錠軸部７を前記軸受孔４に嵌挿し、前記ローター６の中間部のマガジン部８に複数個のタンブラーピン孔９を軸方向に形成し、相連通する前記タンブラーピン孔９と前記ボトムピン孔５に、キーコードに対応して長さを個別設定されたタンブラーピン１０とバネ１２で前進付勢されたボトムピン１１を収容し、前記固定本体１の内向き段差部１３の背面に前記タンブラーピン１０の前端を当接させ、前記内向き段差部１３の内周面と前記ローター６の前端部１４の外周面との間に環状キー孔１５を形成し、前記内向き段差部１３の内周面に前記環状キー孔１５に開口する位置決め溝１６を軸方向に形成し、前記ロータ６の前端部１４の外周面に受動溝１７を軸方向に形成し、キー１８の筒状部１９の先端部外周面に、前記位置決め溝１６に嵌められる位置決め突起２０と前記タンブラーピン１４の前端を押す操作段部２１を形成し、前記筒状部１９の先端部内周面に前記受動溝１７に嵌められる駆動突起２２を設け、前記各操作段部２１に個別設定された深さに対応して、全ての前記タンブラーピン１０と前記ボトムピン１１の当接点を前記ステーター３と前記マガジン部８とのシャーライン上に移動させるようにした軸方向ピンタンブラー錠において、
前記固定本体１に前記ローター６の前端部１４の前方向に超えた延長部１ａを形成し、前記キー１８の筒状部１９に固定本体１の前記延長部１ａに対応して延伸部１９ａを形成し、前記延長部１ａの円筒状空洞部２ａに防御マガジン２３を回転可能に配置し、前記防御マガジン２３の中心部に円形状のキー挿通孔２４を軸方向に形成し、前記タンブラーピン１０の前端が当接する前記内向き段差部１３を前記防御マガジン２３の基端部分に形成し、前記位置決め溝１６を前記防御マガジン２３の内周面に形成し、前記延長部１ａに複数個の駆動ピン孔２５を半径方向に形成し、前記防御マガジン２３に前記駆動ピン孔２５に対応させて防御ピン孔２６を半径方向に形成し、前記駆動ピン孔２５と前記防御ピン孔２６に、キーコードに対応して長さを個別設定された防御ピン２７とバネ２９で求心方向に付勢された駆動ピン２８を収容し、前記複数本のタンブラーピン１０を前記複数本の防御ピン２７の真後ろの位置に配置し、キー１８の前記延伸部１９ａの外周面に前記防御ピン孔２６に対面させて環状凹部３０を形成し、前記キー１８の最終挿入位置において、前記位置決め突起２０を前記位置決め溝１６に係合させる一方、前記駆動突起２２を前記受動溝１８に係合させ、前記環状凹部３０に個別設定された深さに対応して、全ての前記防御ピン２７と前記駆動ピン２８の当接点を前記防御マガジン２３と固定本体１の前記延長部１ａとのシャーライン上に移動させるようにしたことである。
【発明の効果】
【０００８】
請求項１の発明に係る軸方向タンブラー錠では、所定のキーコードに従って操作段部２１と環状凹部３０を筒状部１９と延伸部１９ａに形成してあるキー１８を使用したときには、前記キー１８の最終挿入位置において、各操作段部２１の深さに対応して全てのタンブラーピン１０とボトムピン１１の当接点がステーター３とマガジン部８とのシャーライン上に移動する一方、環状凹部３０の深さに対応して全ての防御ピン２７と駆動ピン２８の当接点が回転マガジン２３と固定本体１の延長部１ａとのシャーライン上に移動しており、このときにはキー１８側の位置決め突起２０が防御マガジン２３側の位置決め溝１６より突出している一方、キー１８側の駆動突起２２がローター６側の受動溝１７に係合しているため、キー１８を回転操作することによって、ローター６が同方向に回転させられ、施錠軸部７に装着した施錠部材による施解錠が実行される。
【０００９】
しかしながら、所定のキーコードに従って操作段部２１と環状凹部３０を形成してあるキー１８を使用しないときには、前記キー１８の最終挿入位置において、全てのタンブラーピン１０とボトムピン１１の当接点がステーター３とマガジン部８とのシャーライン上に移動しない一方、全ての防御ピン２７と駆動ピン２８の当接点が回転マガジン２３と固定本体１の延長部１ａとのシャーライン上に移動しないため、駆動突起２２が受動溝１７に係合していても、キー１８によってローター６を回転させることができない。
【００１０】
上記したような従前のピッキング用具の使用によって、全てのタンブラーピン１０とボトムピン１１の当接点をステーター３とマガジン部８とのシャーライン上に移動させようとしても、防御マガジン２３のキー挿通孔２４に突出している防御ピン２７によってピッキング用具の筒状体の挿入が阻止されるため、ピッキング用具はタンブラーピン１０に真正面方向からアクセスすることができない。
防御機構を構成している前記防御ピン２７と本来のタンブラーピン１０の配列方向は、前者が防御マガジン２３の半径方向であるのに対して、後者がローター６の軸方向であり、９０度位相の違った方向に配置されているため、同時に防御ピン２７とタンブラーピン１０にアクセスしてそれぞれを所定の距離だけ移動させるピッキング操作は非常に困難であり、請求項１の発明によれば、防御性能の高いピンタンブラー錠が得られる。
また、前記複数本のタンブラーピン１０は前記複数本の防御ピン２７の真後ろの位置に配置されているので、前記各タンブラーピン１０へのピッキング操作が邪魔され、防御性能がその分だけ向上する。
【００１１】
請求項２の発明に係る軸方向タンブラー錠では、所定のキーコードに従って操作段部２１と環状凹部３０を筒状部１９と延伸部１９ａに形成してあるキー１８を使用したときには、前記キー１８の最終挿入位置において、各操作段部２１の深さに対応して全てのタンブラーピン１０とボトムピン１１の当接点がステーター３とマガジン部８とのシャーライン上に移動する一方、環状凹部３０の深さに対応して全ての防御ピン２７と駆動ピン２８の当接点が回転マガジン２３と固定本体１の延長部１ａとのシャーライン上に移動しており、このときにはキー１８側の位置決め突起２０が防御マガジン２３側の位置決め溝１６に係合している一方、キー１８側の駆動突起２２がローター６側の受動溝１７に係合しているため、キー１８を回転操作することによって、防御マガジン２７とローター６が同方向に回転させられ、施錠軸部７に装着した施錠部材による施解錠が実行される。
【００１２】
しかしながら、所定のキーコードに従って操作段部２１と環状凹部３０を形成してあるキー１８を使用しないときには、前記キー１８の最終挿入位置において、全てのタンブラーピン１０とボトムピン１１の当接点がステーター３とマガジン部８とのシャーライン上に移動しない一方、全ての防御ピン２７と駆動ピン２８の当接点が回転マガジン２３と固定本体１の延長部１ａとのシャーライン上に移動しないため、位置決め突起２０が位置決め溝１６に係合し、駆動突起２２が受動溝１７に係合していても、キー１８によって防御マガジン２７とローター６を回転させることができない。
【００１３】
上記したような従前のピッキング用具の使用によって、全てのタンブラーピン１０とボトムピン１１の当接点をステーター３とマガジン部８とのシャーライン上に移動させようとしても、防御マガジン２３のキー挿通孔２４に突出している防御ピン２７によってピッキング用具の筒状体の挿入が阻止されるため、ピッキング用具はタンブラーピン１０に真正面方向からアクセスすることができない。
防御機構を構成している前記防御ピン２７と本来のタンブラーピン１０の配列方向は、前者が防御マガジン２３の半径方向であるのに対して、後者がローター６の軸方向であり、９０度位相の違った方向に配置されているため、同時に防御ピン２７とタンブラーピン１０にアクセスしてそれぞれを所定の距離だけ移動させるピッキング操作は非常に困難であり、請求項２の発明によれば、防御性能の高いピンタンブラー錠が得られる。
また、前記複数本のタンブラーピン１０は前記複数本の防御ピン２７の真後ろの位置に配置されているので、前記各タンブラーピン１０へのピッキング操作が邪魔され、防御性能がその分だけ向上する。
【実施例】
【００１４】
図１から図６に示した請求項１の発明の実施例と、図７から図１２に示した請求項２の発明の実施例のいずれにおいても、固定本体１と別体に構成されたステーター３は固定本体１の後端空洞部に嵌め込まれ、半径方向の固定ビス３１によって固定本体１に対して固定されている。固定本体１は取付け対象物例えば機器ボックスの扉３２の取付孔３３に前面側から嵌挿され、外周段差面３４を扉３２の前面に当接させた状態で、後端部の外周ねじ部３５に螺合した六角ナット３６によって扉３２に締め付け固定されている。ステーター３の軸受孔４に嵌挿されたロータ６の施錠軸部７は、固定本体１の後面側に突出しており、施錠軸部７の後端角軸部３７には施錠板３８が嵌められ、施錠板３８は六角ボルト３９によって施錠軸部７に固着されている。防御マガジン２３は別途手段によって前方移動を規制されている。
【００１５】
ボトムピン１１を前進方向に付勢するバネ１２は圧縮コイルバネで構成され、駆動ピン２８を求心方向に付勢するバネ１９も圧縮コイルバネで構成されている。ボトムピン孔５はステーター３を貫通しないように形成されているため、バネ１２の末端部はボトムピン孔の底面で支持されている。駆動ピン孔２５は固定本体１の延長部１ａに貫通して形成されているため、駆動ピン孔２５の開口端部にバネ支持部材４０が嵌め込み固定されている。
【００１６】
防御ピン２７は、４５度間隔を置いて放射状に７本設けられているが、防御ピン２７の配置角度と本数はこれに限定されるものではなく、要求される防御性能レベルに対応して増減することができる。タンブラーピン１０は４５度間隔を置いて同一円周上に７本設けられているが、これも適宜増減することができる。図示の各実施例では、タンブラーピン１０は防御ピン２７の真後ろの位置に配置されている。これによってタンブラーピン１０へのピッキング操作が邪魔され、防御性能がその分だけ向上する。
また、図示の各実施例のように防御ピン２７を防御マガジン２３の軸方向に沿って複数の異なる断面上に配置したときには、防御性能が格段に向上する。この防御ピン２７の配置断面数は図示のものに限定されるものではなく、適宜増減することができる。
【００１７】
ローター６の中間部のマガジン部８は、防御マガジン２３の後端部の拡径空洞部４１に嵌め込まれている。キー１８が防御マガジン２３のキー挿通孔２４から抜き取られている施錠状態では、ボトムピン１１の前端部がタンブラピン孔９に入り込んでいるため、ロータ６はステーター３に対して回転不能に拘束されている。また、前記施錠状態では、駆動ピン２８の内側端部が防御ピン孔２６に入り込んでいるため、防御マガジン２３は固定本体１の延長部１ａに対して回転不能に拘束されている。
【００１８】
キー１８は、筒状部１９の軸方向の割溝部４２に摘み板４３を嵌め込み固定してなるものであり、キー１８側の位置決め突起２０と駆動突起２２は、摘み板４３の延長板部４４の先端部の内縁部と外縁部に一体に形成されている。各操作段部２１は半円筒形状に形成されており、筒状部１９の先端面からの深さは、割り当てられたキーコードに従って変更されている。各環状凹部３０は断面半円形状に形成され、延伸部１９ａの外周面からの深さは、割り当てられたキーコードに従って変更されている。
【００１９】
請求項１の発明の実施例では、位置決め突起２０の軸方向長さが短く設定されているので、図２に示したようにキー１８の最終挿入位置においては、位置決め突起２０が防御マガジン２３の位置決め溝１６の末端部から突出して、前記マガジン部８と前記段差部１３との間の逃げ空間４５内に進入する一方、駆動突起２２がローター６の受動溝１８に係合している。そのため、摘み板４２を介して与えた回転力は、ローター６のみに伝達される。
【００２０】
請求項２の発明の実施例では、位置決め突起２０の軸方向長さが長く設定されているので、図８に示したようにキー１８の最終挿入位置においては、位置決め突起２０が防御マガジン２３の位置決め溝１６の末端部に係合する一方、駆動突起２２がローター６の受動溝１８に係合している。そのため、摘み板４２を介して与えた回転力は、防御マガジン２３とローター６の双方に伝達される。
【００２１】
請求項１の発明の実施例では、前記最終挿入位置においては、全てのタンブラーピン１０とボトムピン１１の当接点がステーター３とマガジン部８とのシャーライン上に移動しており、また、全ての防御ピン２７と駆動ピン２８の当接点が回転マガジン２３と固定本体１の前記延長部１ａとのシャーライン上に移動しているため、キー１８を回すと、ローター６が固定本体１に対して回転させられる。このキー１８の回転中、キー１８の位置決め突起２０が前記逃げ空間４５内を空転し、防御マガジン２３側の防御ピン２７の先端部がキー１８側の環状凹部３０内を相対的に移動する。
【００２２】
請求項２の発明の実施例では、前記最終挿入位置においては、全てのタンブラーピン１０とボトムピン１１の当接点がステーター３とマガジン部８とのシャーライン上に移動しており、また、全ての防御ピン２７と駆動ピン２８の当接点が回転マガジン２３と固定本体１の前記延長部１ａとのシャーライン上に移動しているため、キー１８を回すと、防御マガジン２７とローター６が固定本体１に対して回転させられる。
【図面の簡単な説明】
【００２３】
【図１】請求項１の発明の一実施例に係る防御機構付き軸方向ピンタンブラー錠のキー抜取り状態の正面図である。
【図２】図１のＡ−Ａ線断面図であり、キーは最終挿入位置にある。
【図３】図１のＢ−Ｂ線断面図であり、キーは最終挿入位置にある。
【図４】図２のＣ−Ｃ線断面図であり、キーは最終挿入位置にある。
【図５】図１の軸方向タンブラー錠に使用するキーの側面図であり、筒状部の先端部を一部切欠いて示してある。
【図６】図５のキーの背面図である。
【図７】請求項２の発明の一実施例に係る防御機構付き軸方向ピンタンブラー錠のキー抜取り状態の正面図である。
【図８】図７のＤ−Ｄ線断面図であり、キーは最終挿入位置にある。
【図９】図７のＥ−Ｅ線断面図であり、キーは最終挿入位置にある。
【図１０】図８のＦ−Ｆ線断面図であり、キーは最終挿入位置にある。
【図１１】図７の軸方向タンブラー錠に使用するキーの側面図であり、筒状部の先端部を一部切欠いて示してある。
【図１２】図１１のキーの背面図である。
【符号の説明】
【００２４】
１ 固定本体
１ａ 固定本体の延長部
２ 円筒状空洞部
３ ステーター
４ 軸受孔
５ ボトムピン孔
６ ローター
７ 施錠軸部
８ マガジン部
９ タンブラーピン孔
１０ タンブラーピン
１１ ボトムピン
１２ バネ
１３ 内向き段差部
１４ ローターの前端部
１５ 環状キー孔
１６ 位置決め溝
１７ 受動溝
１８ キー
１９ 筒状部
１９ａ 筒状部の延伸部
２０ 位置決め突起
２１ 操作段部
２２ 駆動突起
２３ 防御マガジン
２４ キー挿通孔
２５ 駆動ピン孔
２６ 防御ピン孔
２７ 防御ピン
２８ 駆動ピン
２９ バネ
３０ 環状凹部
３１ 固定ビス
３２ 扉
３３ 取付孔
３４ 外周段差面
３５ 外周ねじ部
３６ 六角ナット
３７ 後端角軸部
３８ 施錠板
３９ 六角ボルト
４０ バネ支持部材
４１ 拡径空洞部
４２ 割溝部
４３ 摘み板
４４ 延長板部
４５ 逃げ空間
【図１】
0004628403.tif 000002
【図２】
0004628403.tif 000003
【図３】
0004628403.tif 000004
【図４】
0004628403.tif 000005
【図５】
0004628403.tif 000006
【図６】
0004628403.tif 000007
【図７】
0004628403.tif 000008
【図８】
0004628403.tif 000009
【図９】
0004628403.tif 000010
【図１０】
0004628403.tif 000011
【図１１】
0004628403.tif 000012
【図１２】
0004628403.tif 000013